(57)【要約】【課題】スケジュールの開始前に体臭を検出することができない。【解決手段】ネックレスなど身につける形状を有する生体臭検出装置は、記憶部と、臭い検出部と、報知部と、制御部とを備える。記憶部は、ユーザのスケジュールの開始時刻を保存している。臭い検出部は、臭いを検出する。報知部はユーザに臭い検出の開始およびその結果を報知する。制御部は、入手したスケジュールの開始時刻よりも所定の時間だけ早い時刻に、臭い検出部により臭いを検出し、報知部により報知する。【選択図】図１
2015148937.tif 000002
【特許請求の範囲】
【請求項１】
ユーザのスケジュールの開始時刻を保存する記憶部と、
臭いを検出する臭い検出部と、
臭い検出の結果を報知する報知部と、
前記記憶部に保存されている前記スケジュールの開始時刻よりも所定の時間だけ早い時刻に前記臭い検出部により臭いを検出し前記報知部により報知する制御部と、を備える生体臭検出装置。
【請求項２】
請求項１に記載の生体臭検出装置において、
摂取物の名称、前記摂取物の画像および前記摂取物の臭いの強さが関連づけられて蓄積されるデータベースをさらに備え、
前記臭い検出部は臭いの強さを定量的に検出し、
前記制御部は、前記検出した臭いの強さが所定の強さ以上の場合は、撮影された前記ユーザの撮影された前記摂取物の画像を前記データベースに蓄積されている前記摂取物の画像と照合し、一致すると判断された前記摂取物の画像に関連付けられた前記摂取物の名称のうち臭いの強い前記摂取物の名称を臭いの原因として前記報知部により報知する生体臭検出装置。
【請求項３】
請求項１に記載の生体臭検出装置において、
摂取物の名称、摂取物の画像および臭いの強さが関連づけられて蓄積されるデータベースを備える所定の第１のサーバと通信する装置通信部をさらに備え、
前記臭い検出部は臭いの強さを定量的に検出し、
前記装置通信部は、前記第１のサーバが送信する、撮影された前記ユーザの摂取物の画像と一致すると判断された前記データベースに含まれる前記摂取物の画像と関連付けられた前記摂取物の名称であって臭いの強い前記摂取物の名称を受信し、
前記制御部は、前記検出した臭いの強さが所定の強さ以上の場合は、臭いの原因として前記装置通信部が受信した前記摂取物の名称を前記報知部により報知する生体臭検出装置。
【請求項４】
請求項２または３に記載の生体臭検出装置において、
前記データベースは、ユーザの健康状態の記録を含み、
前記制御部は、前記データベースに含まれる前記ユーザの健康状態の記録を参照して生体臭の原因を判断し前記報知部により報知する生体臭検出装置。
【請求項５】
請求項１乃至４のいずれか１項に記載の生体臭検出装置において、
加速度センサをさらに備え、
前記制御部は、ユーザの睡眠時間および運動の頻度を前記加速度センサの出力から判断し、
前記制御部は前記検出した臭いの強さが所定の強さ以上であって、前記睡眠時間が所定の時間より短い場合または前記運動の頻度が所定の頻度より低い場合に、生体臭の原因として睡眠不足または運動不足を前記報知部により報知する生体臭検出装置。
【請求項６】
請求項１乃至５のいずれか１項に記載の生体臭検出装置において、
前記臭い検出部は複数の臭いを判別して検出するセンサを備える生体臭検出装置。
【請求項７】
請求項６に記載の生体臭検出装置において、
前記臭い検出部は少なくともアンモニアとノネナールを判別して検出するセンサを備える生体臭検出装置。
【請求項８】
請求項１、２、または請求項４乃至７のいずれか１項に記載の生体臭検出装置と、所定の第２のサーバとを備え、
前記生体臭検出装置は前記第２のサーバと通信する装置通信部をさらに備え、
前記生体臭検出装置の制御部は、前記臭い検出部により臭いを検出すると、その結果を前記装置通信部により前記第２のサーバへ通知し、
前記第２のサーバは、
前記生体臭検出装置から前記臭い検出の結果を受信するサーバ通信部と、
前記臭い検出の結果を蓄積する生体臭データベースと、
要求に応じて前記生体臭データベースの一部または全部を前記サーバ通信部から送信するサーバ制御部とを備える、生体臭検出システム。
【請求項９】
請求項３に記載の生体臭検出装置と、所定の第２のサーバとを備え、
前記生体臭検出装置の制御部は、前記臭い検出部により臭いを検出すると、その結果を前記装置通信部により前記第２のサーバへ通知し、
前記第２のサーバは、
前記生体臭検出装置から前記臭い検出の結果を受信するサーバ通信部と、
前記臭い検出の結果を蓄積する生体臭データベースと、
要求に応じて前記生体臭データベースの一部または全部を前記サーバ通信部から送信するサーバ制御部とを備える、生体臭検出システム。
【請求項１０】
コンピュータに、
ユーザのスケジュールの開始時刻を保存している記憶手段から前記ユーザのスケジュールの開始時刻を読み出す読み出し手順と、
無線通信により電子機器に格納しているスケジュールの開始時刻を入手する通信手順と、
臭い検出センサの出力を得る臭い検出手順と、
臭い検出の結果を報知する報知手順と、
前記入手したスケジュールの開始時刻よりも所定の時間だけ早い時刻に前記臭い検出手順により臭いを検出し前記報知手順により報知する制御を実行させるための生体臭検出プログラム。
【発明の詳細な説明】
【技術分野】
【０００１】
本発明は、生体臭検出装置、生体臭検出システム、および生体臭検出プログラムに関する。
【背景技術】
【０００２】
体臭および口臭を抑制することもエチケットの１つと認識されている。そのため、自分の体から体臭または口臭が発せられていることに気づくと、歯磨き、消臭スプレー、または消臭用錠剤の服用により体臭および口臭を抑制することが多い。ただし、自分の体臭および口臭に自ら気づくことは難しいため、臭いを検出する装置が用いられる。特許文献１には、ユーザの過去のスケジュールを参照して、検出する臭いの種類を選択する発明が開示されている。
【先行技術文献】
【特許文献】
【０００３】
【特許文献１】特開２００７−１４２８３５
【発明の概要】
【発明が解決しようとする課題】
【０００４】
スケジュールの開始前に体臭および口臭を検出することができない。
【課題を解決するための手段】
【０００５】
（１）請求項１に記載の生体臭検出装置は、ユーザのスケジュールの開始時刻を保存する記憶部と、臭いを検出する臭い検出部と、臭い検出の結果を報知する報知部と、記憶部に保存されているスケジュールの開始時刻よりも所定の時間だけ早い時刻に臭い検出部により臭いを検出し報知部により報知する制御部と、を備える。
（２）請求項８に記載の生体臭検出システムは、上記生体臭検出装置と、サーバとを備え、生体臭検出装置はサーバと通信する装置通信部をさらに備え、生体臭検出装置の制御部は、臭い検出部により臭いを検出すると、その結果を装置通信部によりサーバへ通知し、サーバは、生体臭検出装置から臭い検出の結果を受信するサーバ通信部と臭い検出の結果を蓄積する生体臭データベースと、要求に応じて生体臭データベースの一部または全部をサーバ通信部から送信するサーバ制御部とを備える。
（３）請求項１０に記載の生体臭検出プログラムは、コンピュータに、ユーザのスケジュールの開始時刻を保存している記憶手段からユーザのスケジュールの開始時刻を読み出す読み出し手順と、無線通信により電子機器に格納しているスケジュールの開始時刻を入手する通信手順と、臭い検出センサの出力を得る臭い検出手順と、臭い検出の結果を報知する報知手順と、入手したスケジュールの開始時刻よりも所定の時間だけ早い時刻に臭い検出手順により臭いを検出し報知手順により報知する制御を実行させる。
【発明の効果】
【０００６】
本発明によれば、スケジュールの開始前に体臭および口臭を検出することができる。
【図面の簡単な説明】
【０００７】
【図１】第１の実施の形態における生体臭検出システムのブロック図
【図２】スケジュールデータの一例を示す図
【図３】第１の実施の形態における生体臭検出装置の動作を表すフローチャート
【図４】第２の実施の形態における生体臭検出システムのブロック図
【図５】第２の実施の形態における生体臭検出装置の動作を表すフローチャート
【図６】図５のサブルーチンのフローチャート
【図７】臭い検出グラフの一例を示す図
【図８】ペット画像の一例を示す図
【図９】第３の実施の形態における生体臭検出システムのブロック図
【図１０】第３の実施の形態における生体臭検出装置の動作を表すフローチャート
【発明を実施するための形態】
【０００８】
（第１の実施の形態）
以下、図１〜図３を参照して、第１の実施の形態における生体臭検出システムを説明する。
【０００９】
図１は、生体臭検出システムの構成を示すブロック図である。生体臭検出システムは、生体臭検出装置１０と、電子機器２０とから構成される。
生体臭検出装置１０は、制御部１１と、臭い検出部１２と、通信部１３と、記憶部１４と、報知部１５と、を備える。生体臭検出装置１０は、常時ユーザの素肌と密着する、たとえば、ネックレスやリストバンドの形状を有する。
なお、以下では体臭および生体臭には口臭も含むこととする。
【００１０】
制御部１１は、不図示のＣＰＵ、ＲＯＭ、ＲＡＭを備え、後述するプログラムをＲＯＭに記憶し、ＲＡＭに展開して実行する。制御部１１は臭い検出部１２と、通信部１３と、記憶部１４と、報知部１５と、を制御する。
臭い検出部１２は、臭いの強さに応じて抵抗値が変化するセンサを有しており、制御部１１からの指令により抵抗値を測定して、臭いの強さに応じた数値を制御部１１に出力する。たとえば、センサは金属酸化物であり、臭いの強さに応じて無臭を「０」、最大を「１０」として制御部１１に出力する。
【００１１】
通信部１３は、電子機器２０と無線により通信する。
記憶部１４は、フラッシュメモリなどから構成され、記憶部１４にはタイマー時刻表１４ａが保存される。タイマー時刻表１４ａは、後に詳しく述べるが、ユーザのスケジュール開始時刻が列挙されている。
報知部１５は、不図示のライト、スピーカー、振動子などから構成され、光、音、振動、によりユーザへ臭い検出の開始および臭い検出の結果を報知する。ただし、通信部１３を利用して電子機器２０にメッセージ、たとえばＥメールを送信することにより報知を行ってもよい。
【００１２】
電子機器２０は、制御部２１と、通信部２３と、記憶部２４と、入力部２６と、表示部２７と、を備える。電子機器２０はたとえば、パーソナルコンピュータ、携帯電話、タブレット端末である。
制御部２１は、不図示のＣＰＵ、ＲＯＭ、ＲＡＭを備え、後述する動作行う。制御部２１は各構成部と内部のバスで接続されており、各構成部に指令を出すことができる。
通信部２３は、生体臭検出装置１０と無線により通信する。
【００１３】
記憶部２４は、フラッシュメモリなどから構成され、記憶部２４にはスケジュールデータ２４ｂが保存される。スケジュールデータ２４ｂは、後述する入力部２６から入力されたユーザのスケジュールである。
入力部２６は、不図示のタッチパネルおよびボタンを備え、ユーザの入力を制御部２１に伝達する。表示部２７は、不図示の液晶ディスプレイを備え、ユーザが入力部２６から入力中のスケジュール、および入力済みで記憶部２４に保存されているスケジュールデータ２４ｂを表示する。
【００１４】
ユーザは新たな予定が決まると、電子機器２０の入力部２６を使用して表示部２７の表示を確認しながらスケジュールを入力する。入力されたスケジュールは、記憶部２４にスケジュールデータ２４ｂとして保存される。制御部２１は、通信部２３に外部、たとえば生体臭検出装置１０からデータ送信要求を受けると、スケジュールデータ２４ｂからスケジュールの開始時刻を抽出して生体臭検出装置１０へ送信する。
【００１５】
生体臭検出システム１の動作を説明する。
生体臭検出装置１０の制御部１１は、一定時間ごと、たとえば１時間ごとに通信部１３から電子機器２０へデータ送信要求を送信し、電子機器２０から受信したユーザのスケジュールの開始時刻を、記憶部１４にタイマー時刻表１４ａとして保存する。たとえば、ユーザのスケジュールデータ２４ｂが図２に示すものであった場合は、タイマー時刻表１４ａとして、「２０１４年１月１５日１０時３０分、２０１４年１月１６日１４時０分」が保存される。
図３は、制御部１１が一定時間ごと、たとえば１分ごとに実行するプログラムの動作を表すフローチャートである。
【００１６】
ステップＳ１０１では、制御部１１は、現在時刻に所定の時間を加えた時刻がタイマー時刻表１４ａに記載のいずれかの時刻と一致するかを判断する。現在時刻に所定の時間を加えた時刻がタイマー時刻表１４ａのいずれかの時刻と一致すると判断する場合はステップＳ１０２に進み、いずれの時刻とも一致しないと判断する場合は図３のフローチャートを終了する。
たとえば所定の時間を１５分とすると、図２の例では現在時刻がタイマー時刻表１４ａから１５分早い、２０１４年１月１５日１０時１５分、または２０１４年１月１６日１３時４５分の場合にステップＳ１０２に進む。
【００１７】
ステップＳ１０２では、制御部１１は、ユーザにこれから臭い検出を開始することを知らせるために報知部１５により第１の報知を行いステップＳ１０３に進む。第１の報知とは、後述する第２の報知、および第３の報知との比較による表現であり、第２の報知は第１の報知と同等かそれ以上の注意喚起能力を有し、第３の報知は第２の報知と同等かそれ以上の注意喚起能力を有する。たとえば、バイブレーションよりもアラームの方が注意喚起能力が高く、バイブレーションやアラームの単独よりも組み合わせた方が注意喚起能力が高く、音が大きいほど注意喚起能力が高く、ユーザの操作により報知を停止できない方が注意喚起能力が高い。また、音楽の再生を継続したままアラームを鳴らすよりも音楽の再生を停止してアラームのみを鳴らした方が注意喚起能力が高い。なお、第１の報知および第２の報知を行わず、第３の報知のみを行ってもよい。
【００１８】
ステップＳ１０３では、制御部１１は、臭い検出部１２によりユーザの体臭を検出しステップＳ１０４に進む。
ステップＳ１０４では、制御部１１は、ステップＳ１０３における臭い検出の結果、所定の強さ以上の臭いが検出されたか否かを判断する。所定の強さ以上の臭いが検出されたと判断する場合はステップＳ１０５に進み、所定の強さ未満の臭いが検出されたと判断する場合はステップＳ１０６に進む。
【００１９】
ステップＳ１０５では、制御部１１は、第３の報知を行い図３のフローチャートを終了する。ステップＳ１０５は臭い検出部１２が所定の強さ以上の臭いを検出した場合に実行されるので、ユーザに臭いが強かったことを伝えるために第３の報知は他の報知と明確に区別でき、注意喚起能力も高い必要がある。
ステップＳ１０６では、制御部１１は、第２の報知を行い図３のフローチャートを終了する。第２の報知はユーザに臭い検出の結果に問題がなかったことを伝えるものである。もしも第２の報知が行われないと、ユーザは生体臭検出装置１０が動作していないので第３の報知が行われなかったのか、臭い検出の結果に問題がなかったのかを判別できないため、この第２の報知はユーザを安心させるために有用である。
【００２０】
以上のように、制御部１１は、ユーザのスケジュールを参照し、スケジュールの開始時刻から所定時間だけ前になると臭い検出部１２により臭いを検出する。
【００２１】
以上説明した第１の実施の形態によれば、次の作用効果が得られる。
（１）生体臭検出装置１０は、ユーザのスケジュールの開始時刻をタイマー時刻表１４ａとして保存する記憶部１４と、臭いを検出する臭い検出部１２と、臭い検出の結果を報知する報知部１５と、入手したスケジュールの開始時刻よりも所定の時間だけ早い時刻に臭い検出部１２により臭いを検出し検出した結果を報知部１５により報知する制御部１１と、を備える。
そのため、スケジュールの開始前に体臭を検出することができる。そして、第３の報知により体臭が強いことを報知部１５から報知されたユーザは、そのスケジュールの開始前に対策をとることができる。また、第２の報知により体臭が所定の強さ未満であったことを報知部１５から報知されたユーザは、安心してそのスケジュールに臨むことができる。
【００２２】
（変形例１）
第１の実施の形態においては、生体臭検出装置１０は常時体臭を測定できるようにネックレスなど素肌に密着させる装置としたが、これに限定されない。たとえば、携帯電話などのようにポケットやカバンに収納する形状として、上述したステップＳ１０２における第１の報知により、ユーザが生体臭検出装置１０の臭い検出部１２を体に接触させることにより体の臭いを検出してもよい。
この変形例１によれば、生体臭検出装置１０が多様な形状をとることができる。また、生体臭検出装置１０を素肌に密着させる必要がないことから、ユーザが煩わしさを感じることがない。
【００２３】
（変形例２）
第１の実施の形態においては、生体臭検出システム１は生体臭検出装置１０と電子機器２０とから構成されていたが、これらの機能を併せ持つ１つの装置、たとえば生体臭検出機能付き端末を用いてもよい。
生体臭検出機能付き端末は表示部および入力部を備えており、ユーザは生体臭検出機能付き端末にスケジュールを入力するため、生体臭検出機能付き端末は通信を行うことなく臭い検出を行うべき時刻を入手することができる。
この変形例２によれば異なる機器間で通信を行う必要がないため、例えば同一の周波数帯を使用する通信機器が混在する劣悪な通信環境においても生体臭検出システム１を使用することができる。
【００２４】
（第２の実施の形態）
図４〜図６を参照して、本発明による生体臭検出装置の第２の実施の形態を説明する。以下の説明では、第１の実施の形態と同じ構成要素には同じ符号を付して相違点を主に説明する。特に説明しない点については、第１の実施の形態と同じである。本実施の形態では、主に、体臭を抑制する方法をユーザに報知する点で、第１の実施の形態と異なる。
第２の実施の形態に係る生体臭検出システムの構成を説明する。
第２の実施の形態に係る生体臭検出システムは、生体臭検出装置１０と、電子機器２０と、サーバ３０と、から構成される。
【００２５】
生体臭検出装置１０は、第１の実施の形態の構成に加えて、記憶部１４に摂取物データベース１４ｃおよび健康診断書１４ｄと、加速度センサ１９とをさらに備える。
摂取物データベース１４ｃは、摂取物の名称、摂取物の画像、摂取物の臭いの強さが関連付けて保存されている。後述するように摂取物は写真により照合するので、照合の精度を向上させるために複数の画像を登録する。また、肉料理／野菜料理の判別を目的として、多種多様な肉料理の画像および野菜料理の画像も摂取物データベース１４ｃに含まれている。
健康診断書１４ｄは、ユーザの健康診断の記録であり、少なくともユーザの身長、体重、年齢を含んでおり、制御部１１は健康診断書１４ｄを参照してユーザが肥満状態にあるのかを判断することができる。
【００２６】
加速度センサ１９は、生体臭検出装置１０の加速度を検出する３軸の加速度であり、制御部１１に加速度を出力する。そのため、制御部１１は加速度センサ１９の出力を参照することにより、生体臭検出装置１０を身につけているユーザが睡眠状態、運動状態、その他、のいずれの状態にあるかを判断できる。また、制御部１１は加速度センサ１９の出力を記憶部１４に常時保存しており、必要に応じてユーザの過去の状態を調べることができる。
【００２７】
電子機器２０の構成は第１の実施の形態で示した構成に加えて、撮影部２８を備える。制御部２１は、ユーザの入力部２６からの指示に従い、撮影部２８に指令を出して摂取物の画像を取得し、これを通信部２３からサーバ３０に送信する。
【００２８】
サーバ３０は、制御部３１と、通信部３３と、記憶部３４とからなる。
サーバ３０の制御部３１は、不図示のＣＰＵ、ＲＯＭ、ＲＡＭを備え、以下に示す動作を行うプログラムをＲＯＭに保存しており、これをＲＡＭに展開して実行する。すなわち、制御部３１は、通信部３３が電子機器２０から摂取物の画像を受信すると記憶部３４に保存し、生体臭検出装置１０から要求を受けると、記憶部３４に保存した摂取物の画像を生体臭検出装置１０に送信する。
【００２９】
サーバ３０の通信部３３は、生体臭検出装置１０および電子機器２０と通信する。
サーバ３０の記憶部３４は、ハードディスクドライブから構成され、記憶部３４には電子機器２０から送信される摂取物の画像が保存される。
【００３０】
第２の実施の形態の動作を説明する。
第１の実施の形態と同様に、制御部１１は、一定時間ごと、たとえば１時間ごとに通信部１３から電子機器２０へデータ送信要求を送信し、電子機器２０から受信したユーザのスケジュールの開始時刻を、記憶部１４にタイマー時刻表１４ａとして保存する。また、制御部１１は加速度センサ１９の出力を常時監視しており、生体臭検出装置１０を身につけているユーザの睡眠、および運動を検出して、その時間を記憶部１４に保存する。
ユーザが電子機器２０を使用して摂取物を撮影すると、前述のとおり電子機器２０の制御部２１によりサーバ３０へその摂取物の撮影画像が送信される。
【００３１】
図５のフローチャートに示すプログラムは、第１の実施の形態における図３のフローチャートに示すプログラムに代わって、第２の実施の形態において制御部１１が実行する処理手順を示すものである。図３と同一の処理には同一のステップ番号を付して、主に差異点を説明する。
【００３２】
制御部１１は、現在時刻に所定の時間を加えた時刻がタイマー時刻表１４ａに記載のいずれかの時刻と一致するかを判断し（ステップＳ１０１）、一致する場合には第１の報知を行い（ステップＳ１０２）、臭い検出部１２により臭い検出を行う（ステップＳ１０３）。ステップＳ１０４では、制御部１１が所定の強さ以上の臭いが検出されたと判断すると、ステップＳ２０１に進む。
【００３３】
ステップＳ２０１では、制御部１１は、通信部１３によりサーバ３０へ摂取物の画像を要求し、サーバ３０から摂取物の画像を受信してステップＳ２０２に進む。
ステップＳ２０２では、制御部１１は、図６を用いて後に説明するサブルーチンを実行し、報知内容を決定してステップＳ１０５に進む。
ステップＳ１０５では、制御部１１は、ステップＳ２０２から呼び出されるサブルーチンにて決定された報知内容を、通信部１３により電子機器２０にＥメールとして送信するとともに第３の報知を行い、図５のフローチャートを終了する。
【００３４】
ステップＳ２０２から呼び出されるサブルーチンを、図６を用いて説明する。このサブルーチンも、図５に示すフローチャートと同様に制御部１１により実行される。
ステップＳ３０１では、制御部１１は、サーバ３０から受信した全ての摂取物の画像を摂取物データベース１４ｃに含まれる所定の強さ以上の臭いの強さを有する摂取物の画像と照合し、ステップＳ３０２に進む。
ステップＳ３０２では、ステップＳ３０１における照合の結果、いずれかの受信した摂取物の画像が、所定の強さ以上の臭いの強さを有する摂取物の画像と一致したか否かを判断する。所定の強さ以上の臭いの強さを有する摂取物の画像と一致したと判断する場合はステップＳ３０３に進み、いずれの受信した摂取物の画像も所定の強さ以上の臭いの強さを有する摂取物の画像と一致しないと判断する場合はステップＳ３０４に進む。
ステップＳ３０３では、制御部１１は、ステップＳ３０１において画像が一致した、所定の強さ以上の臭いの強さを有する摂取物の名称（以下、Ｘと呼ぶ）を取得する。そして、報知内容を「Ｘが原因と考えられます。歯磨き、口内洗浄、および消臭用錠剤の服用が有効」に設定し、ステップＳ３０４に進む。体臭の原因が摂取物だと考えられるからである。
【００３５】
ステップＳ３０４では、制御部１１は、サーバ３０から受信した全ての摂取物の画像について、摂取物データベース１４ｃに保存されている肉料理および野菜料理の画像と照合し、各料理から肉と野菜の比率を算出し、ステップＳ３０５に進む。
【００３６】
ステップＳ３０５では、制御部１１は、野菜に対する肉の比率が所定の比率、例えば１：１よりも大きいか否かを判断する。野菜に対する肉の比率が所定の比率よりも大きいと判断する場合はステップＳ３０６に進み、野菜に対する肉の比率が所定の比率以下と判断する場合はステップＳ３０７に進む。
ステップＳ３０６では、制御部１１は、報知内容を「野菜の摂取量を増やしてください」に設定し、ステップＳ３０７に進む。野菜の摂取量が少ないために体臭が強いと考えられるからである。ただし、すでに報知内容が決まっていた場合は、既存の報知内容に上記の報知内容を追記する。
【００３７】
ステップＳ３０７では、制御部１１は、過去の一定期間における加速度センサ１９の出力を記憶部１４から読み込み、ユーザが運動をした頻度を算出し、ステップＳ３０８に進む。たとえば、加速度センサ１９の出力から、連続して３０分以上運動状態にあったと判断できる場合はユーザが運動をしたと判断し、たとえば運動の頻度が１０日に１回であったと算出する。
ステップＳ３０８では、制御部１１は、ユーザの運動頻度が所定の頻度以下、たとえば１週間に１回以下であったかを判断し、所定の頻度以下と判断する場合はステップＳ３０９に進み、所定の頻度より多いと判断する場合はステップＳ３１０に進む。
【００３８】
ステップＳ３０９では、制御部１１は、報知内容を「運動の頻度を多くしてください」に設定し、ステップＳ３１０に進む。運動量が少ないために体臭が強いと考えられるからである。ただし、すでに報知内容が決まっていた場合は、既存の報知内容に上記の報知内容を追記する。
ステップＳ３１０では、制御部１１は、記憶部１４に保存されている健康診断書１４ｄを参照し、肥満状態を示す指数、たとえばＢＭＩ（Body Mass Index）を算出してステップＳ３１１に進む。ＢＭＩは、体重（ｋｇ）を身長（ｍ）の２乗で除算した値として求めることができる。
【００３９】
ステップＳ３１１では、制御部１１は、ステップＳ３１０において算出したＢＭＩが所定の値、たとえば２５以上であるか否かを判断する。ＢＭＩが２５以上であると判断する場合はステップＳ３１２に進み、ＢＭＩが２５未満であると判断する場合はステップＳ３１３に進む。
ステップＳ３１２では、制御部１１は、報知内容を「野菜の摂取量を増やし、運動の頻度も増やしてください」に設定し、ステップＳ３１３に進む。肉の摂取が多く、運動量が少ないために肥満になっており、体臭が強いと考えられるからである。ただし、すでに報知内容が決まっていた場合は、既存の報知内容に上記の報知内容を追記する。
【００４０】
ステップＳ３１３では、制御部１１は、過去の一定期間における加速度センサ１９の出力を記憶部１４から読み込み、ユーザの１日あたりの平均睡眠時間を算出し、ステップＳ３１４に進む。
ステップＳ３１４では、制御部１１は、ステップＳ３１０において算出した平均睡眠時間が所定の値、たとえば７時間未満であるか否かを判断する。平均睡眠時間が７時間未満であると判断する場合はステップＳ３１５に進み、平均睡眠時間が７時間以上であると判断する場合はステップＳ３１６に進む。
【００４１】
ステップＳ３１５では、制御部１１は、報知内容を「睡眠時間を長くしてください」に設定し、ステップＳ３１６に進む。睡眠時間が短いために疲労が貯まっていると考えられるからである。ただし、すでに報知内容が決まっていた場合は、既存の報知内容に上記の報知内容を追記する。
ステップＳ３１６では、制御部１１は、ステップＳ３０３、Ｓ３０６、Ｓ３０９、Ｓ３１２、Ｓ３１５のいずれかに該当しているかを判断する。また、記憶部１４に保存されている健康診断書１４ｄを参照し、ユーザが加齢臭を発する年齢、例えば４０代後半に達しているかを判断する。制御部１１は、いずれのステップにも該当していない、またはユーザが加齢臭を発する年齢に達している、と判断する場合はステップＳ３１８に進み、いずれかのステップに該当し、かつユーザが加齢臭を発する年齢に達していないと判断する場合はステップＳ３１７に進む。
【００４２】
ステップＳ３１７では、制御部１１は、ステップＳ３０３、Ｓ３０６、Ｓ３０９、Ｓ３１２、Ｓ３１５のうち該当した全てのステップにおける報知内容を報知項目として設定し、図６に示すフローチャートを終了して図５のステップＳ１０５に戻り、設定した報知項目を第３の報知として報知する。
ステップＳ３１８では、制御部１１は、報知内容を「○○シャンプーと△△石鹸で体をよく洗ってください」に設定して図６に示すフローチャートを終了し、図５のステップＳ１０５に戻り、第３の報知として報知する。「○○シャンプー」および「△△石鹸」は体臭抑制に特に効果のある製品名を入れてもよいし、製品名を省略してもよい。加齢臭やその他の臭いが生じているが、根本的な解決が望めないため体を清潔に保つことが最善と考えられるからである。ただし、すでに報知項目が決まっていた場合は、既存の報知項目に上記の報知内容を追加する。
【００４３】
以上説明したとおり、第２の実施の形態において制御部１１は、摂取物データベース１４ｃおよび記憶部１４に保存されていた加速度センサ１９の出力を参照して体臭の原因を推測し、ユーザへ対処方法を報知する。
【００４４】
上述した第２の実施の形態によれば、次の作用効果が得られる。
（１）生体臭検出装置１０は、摂取物の名称、摂取物の画像および摂取物の臭いの強さが関連づけられて蓄積される摂取物データベース１４ｃをさらに備える。臭い検出部１２は臭いの強さを「０」〜「１０」の数値で定量的に検出する。制御部１１は臭い検出部１２が検出した臭いの強さが所定の強さ以上の場合は（図５のステップＳ１０４：ＹＥＳ）、電子機器２０の撮影部２８が撮影したユーザの摂取物の画像を摂取物データベース１４ｃに蓄積されている摂取物の画像と照合する。照合の結果、一致すると判断された摂取物の画像に関連付けられた摂取物の名称のうち臭いの強い摂取物の名称を臭いの原因として報知部１５によりユーザに報知する（図６のステップＳ３０３）。
そのため、ユーザは体臭の原因が摂取物にあると判断でき、歯磨きや口内洗浄、錠剤の服用などにより臭いを緩和させることができる。また、臭いの強い摂取物が特定されることから、次回以降はスケジュールの開始時間が近い場合はその摂取物の摂取を避ける参考にすることができる。
【００４５】
（２）生体臭検出装置１０は、記憶部１４に健康診断書１４ｄを含み、制御部１１は、健康診断書１４ｄを参照して体臭の原因を判断し（図６のステップＳ３１０、Ｓ３１６）、報知部１５により報知する。
そのため、体臭を検出するだけでは想定することが難しい体臭の原因を推定することができる。
【００４６】
（３）生体臭検出装置１０は、加速度センサ１９をさらに備え、制御部１１は、ユーザの睡眠時間および運動の頻度を加速度センサ１９の出力から判断して記憶部１４に保存する。制御部１１は検出した臭いの強さが所定の強さ以上であって、睡眠時間が所定の時間より短い場合または運動の頻度が所定の頻度より低い場合に、体臭の原因として睡眠不足または運動不足を報知部１５により報知する。
体調の維持には、摂取物すなわち食事だけでなく、運動、および睡眠も重要であるため、体臭が強いという体調のバランスの優れない状態を正すために必要な、睡眠および運動についてもユーザに報知し、改善を促すことができる。
【００４７】
（変形例３）
第２の実施の形態においては電子機器２０の形状を特定していなかったが、常時ユーザが身につけることができユーザの摂取物を容易に撮影できるように、メガネの形状であってメガネのフロント部に撮影部２８を備えてもよい。さらに、ユーザの入力部２６からの指示がなくとも、電子機器２０は一定の時間間隔、たとえば１０秒間隔で撮影してもよい。電子機器２０の制御部２１は、一定の時間間隔で撮影した画像から、以下の特徴から摂取物の画像であると推定される画像を通信部２３からサーバ３０に送信してもよい。
【００４８】
まず、食事の際にはユーザは一定時間同じ位置におり、皿の上に載った摂取物に正対しているので、撮影部２８から得られる画像に大きな変化がない。仮にユーザが食事中に周囲を見渡したり会話の相手に注目しても、次の一口を食べる前には必ず摂取物に目線を戻すので、食事中に撮影した画像には摂取物とそれを載せた皿の画像が多く含まれる。また、食事の進行とともに摂取物が減少して皿が見える領域が増加する。
これらの特徴を利用することにより、電子機器２０はユーザの操作がなくとも一定の時間間隔で撮影した多数の画像の中から摂取物が撮影されている画像を推定してサーバ３０に送信することができる。
この変形例３によれば、ユーザは食事のたびに摂取物を自ら撮影する必要がなく簡便である。
【００４９】
（変形例４）
第２の実施の形態においては、第１の実施の形態と同様に電子機器２０の記憶部２４に保存されているスケジュールデータ２４ｂを基準として、制御部１１は臭い検出部１２による臭い検出を実行した。しかし、これに加えて、もしくはこれとは独立して、一定時間ごとに、たとえば４時間ごとや２４時間ごとにステップＳ２０２以下のステップを実行してもよい。
この変形例４によれば、ユーザのスケジュールの有無にかかわらず、定期的に臭いを検出し、ユーザへ注意を促すことができる。
【００５０】
（変形例５）
第２の実施の形態においては、摂取物データベース１４ｃおよび健康診断書１４ｄを生体臭検出装置１０に保存しているが、これらをサーバ３０の記憶部３４に摂取物データベース３１４ｃおよび健康診断書３１４ｄとして保存し、サーバ３０の制御部３１が報知内容を判断してもよい。すなわち、図５のステップＳ１０４において制御部１１が所定の強さ以上の臭いが検出されたと判断すると、通信部１３によりサーバ３０へその旨を通知する。生体臭検出装置１０から所定の強さ以上の臭いが検出された旨の通知を受信したサーバ３０は、すでにアップロードされているユーザの摂取物の画像を使用して、図５のステップＳ２０２、すなわち図６のフローチャートにより動作が示されるプログラムを制御部３１のＣＰＵにより実行する。そして、サーバ３０の制御部３１は、そのプログラムの実行により報知内容が決定されると、その内容を通信部３２により生体臭検出装置１０へ送信し、これを受信した生体臭検出装置１０の制御部１１は報知部１５により報知する。
【００５１】
以上説明した変形例５によれば、次の作用効果が得られる。
生体臭検出装置１０は、摂取物の名称、摂取物の画像および臭いの強さが関連づけられて蓄積される摂取物データベース３１４ｃを備えるサーバ３０と通信する通信部１３を備える。臭い検出部１２は臭いの強さを定量的に検出する。通信部１３は、サーバ３０が送信する、電子機器２０の撮影部２８により撮影されたユーザの摂取物の画像と一致すると判断された摂取物データベース３１４ｃに含まれる摂取物の画像と関連付けられた摂取物の名称であって臭いの強い摂取物の名称を受信する。制御部１１は検出した臭いの強さが所定の強さ以上の場合は、臭いの原因として通信部１３が取得した摂取物の名称を報知部１５により報知する。そのため、生体臭検出装置１０に保存するデータ、および生体臭検出装置１０における計算量を減少させることができる。
【００５２】
（変形例６）
第２の実施の形態において、電子機器２０が撮影した画像は、電子機器２０の制御部２１によりサーバ３０へ送信され、サーバ３０に保存されたがこれに限定されない。電子機器２０の制御部２１は電子機器２０が撮影した画像を、サーバ３０の代わりに生体臭検出装置１０へ撮影画像を送信してもよいし、電子機器２０の記憶部２４に蓄積してもよい。
さらに、生体臭検出装置１０と電子機器２０との機能を併せ持つ１つの装置、たとえば生体臭検出機能付き端末を用いて、生体臭検出機能付き端末が撮影した画像を生体臭検出機能付き端末に蓄積してもよい。
【００５３】
（変形例７）
第２の実施の形態において、臭い検出部１２が検出できる臭いを限定していなかったが、特定の臭い、すなわち化学物質にのみ検出するセンサを併用してもよい。たとえば、アンモニアを検出するセンサ、およびノネナールを検出するセンサを用いる。疲労が蓄積することにより体臭がアンモニア成分を多く含むようになることが知られている。また、加齢および肥満状態により体臭がノネナール成分を多く含むようになることが知られている。
【００５４】
そのため、アンモニアが多く検出された際には疲労が蓄積されているので睡眠を推奨することを報知する。ノネナールが多く検出された際には加齢と肥満の両方が想定されるので、野菜をもっと摂取すること、運動の推奨、および○○シャンプーと△△石鹸で体をよく洗うこと、を報知する。
さらに、報知の精度を上げるために、第２の実施の形態において用いた、摂取物の情報、健康診断書１４ｄ、および加速度センサ１９の出力と組み合わせてもよい。たとえば、加速度センサ１９の出力により運動の頻度が低いと判断されても、ノネナールが多く検出されなかった場合には運動の推奨を報知しない。
この変形例７によれば、臭いの種類を特定することにより、摂取物、加速度、健康診断、とは異なった観点で臭いの原因を判断でき、精度を向上することができる。
【００５５】
（第３の実施の形態）
図７〜図１０を参照して、本発明による生体臭検出装置の第３の実施の形態を説明する。以下の説明では、第１の実施の形態と同じ構成要素には同じ符号を付して相違点を主に説明する。特に説明しない点については、第１の実施の形態と同じである。本実施の形態では、主に、臭い検出の結果を積極的に記録に残し、グラフ表示やゲームに利用する点で、第１の実施の形態と異なる。
【００５６】
臭い検出の結果のグラフ表示とは、たとえば図７に示すように検出した臭いの強さを時系列に表示した臭い検出グラフである。閾値を設定して閾値を超えるか否かによりＭ１とＭ２のようにマーカーの形状を異ならせてもよい。
臭い検出の結果のゲームへの利用とは、ゲーム内の特定のパラメータを臭い検出結果と連動させるものであり、たとえばペット育成ゲームにおけるペットの健康を示すパラメータを臭い検出結果と連動させる。ペット育成ゲームの表示画面、すなわちペット画像１４ｈはたとえば図８に示すものであり、ペットの健康の度合いを示すパラメータである健康度の値を、臭い検出結果と連動させる。
【００５７】
第３の実施の形態に係る生体臭検出システムの構成を説明する。
図９は第３の実施の形態に係る生体臭検出システムの構成を示すブロック図である。生体臭検出システム１は、複数の生体臭検出装置１０と、サーバ３０と、携帯電話４０と、から構成される。
【００５８】
生体臭検出装置１０は、第１の実施の形態の構成に加えて、入力部１６と、表示部１７とを備え、記憶部１４にはさらに、臭い検出記録１４ｆ、臭い検出グラフ１４ｇ、ペット画像１４ｈ、およびユーザ名１４ｉが保存されている。
臭い検出記録１４ｆは、生体臭検出装置１０が検出した臭いの記録であり、臭い検出グラフ１４ｇの作成に使用する。
臭い検出グラフ１４ｇは、図７に示すように生体臭検出装置１０が検出した臭いの強さを時系列表示したものであり、制御部１１により作成される。ユーザの入力部１６からの操作により時間のスケールを変更でき、たとえば、１時間単位や１月単位での臭い検出グラフ１４ｇも作成できる。
【００５９】
ペット画像１４ｈは、たとえば図８に示すペット育成ゲームにおける表示画像であり、制御部１１により作成される。ペット画像１４ｈは、ペットＰ２と、健康度Ｐ１の大きさを表すメーターＰ１と、犬小屋Ｐ３とから構成される。そして、健康度の値により表示されるペットＰ２の表情や犬小屋Ｐ３の様子が変化する。健康度の値はペット画像１４ｈに内包されて保存されている。
ユーザ名１４ｉは、当該生体臭検出システム１における一意な名称であり、すなわち、どの生体臭検出装置１０に保存されているユーザ名１４ｉも異なっている。
【００６０】
入力部１６は、不図示のタッチパネルおよびボタンを備え、ユーザの入力を制御部１１に伝達する。表示部１７は、不図示の液晶ディスプレイを備え、記憶部１４に保存されているデータ、および制御部１１からの指令により通信部１３がサーバ３０から取得したデータを表示する。表示部１７は、ユーザからの入力部１６への操作がない場合は、臭い検出グラフ１４ｇ、またはペット画像１４ｈを表示してもよい。
【００６１】
サーバ３０の構成は、第１の実施の形態における構成に加えて、記憶部３４にはさらに、臭い検出記録３４ｆ、臭い検出グラフ３４ｇ、およびペット画像３４ｈが保存されている。サーバ３０には、複数の生体臭検出装置１０からユーザ名１４ｉとともに臭い検出の結果が送信されるため、臭い検出記録３４ｆはユーザ名１４ｉにより整理され、それら複数の生体臭検出装置１０全ての臭い検出記録１４ｆを含んでいる。臭い検出記録３４ｆからサーバ３０の制御部３１により作成される臭い検出グラフ３４ｇおよびペット画像３４ｈも同様であり、ユーザ名１４ｉにより整理された、生体臭検出装置１０の台数分の臭い検出グラフ１４ｇおよびペット画像１４ｈを含んでいる。
【００６２】
携帯電話４０は、制御部４１と、通信部４３と、入力部４６と、表示部４７とを備える。制御部４１は、不図示のＣＰＵ、ＲＯＭ、ＲＡＭを備え、ユーザによる入力部４６からの指示によりサーバ３０からデータを取得し、表示部４７に表示する。通信部４３は、サーバ３０と無線通信ができる。入力部４６は不図示のタッチパネルおよびボタンを備え、ユーザの入力を制御部４１に伝達する。表示部４７は、不図示の液晶ディスプレイを備え、制御部４１からの指示により表示する。
【００６３】
第３の実施の形態の動作を説明する。
生体臭検出装置１０の制御部１１は、既定の時間間隔で図１０のフローチャートで動作が表されるプログラムを実行する。既定の時間間隔とは、たとえば４時間や２４時間である。
ステップＳ４０１では、制御部１１は、臭い検出部１２により臭いを検出し、検出結果を記憶部１４の臭い検出記録１４ｆに保存して、ステップＳ４０２に進む。
ステップＳ４０２では、制御部１１は、ステップＳ４０１における検出結果とユーザ名１４ｉとをサーバ３０へ送信するとともに、臭い検出記録１４ｆから臭い検出グラフ１４ｇを作成して、ステップＳ４０３に進む。
【００６４】
ステップＳ４０３では、制御部１１は、ステップＳ４０１において検出された臭いが所定の強さ以上であったか否かを判断する。検出された臭いが所定の強さ以上であったと判断する場合はステップＳ４０４に進み、検出された臭いが所定の強さ未満であったと判断する場合はステップＳ４０５に進む。
ステップＳ４０４では、制御部１１は、ペット画像１４ｈに内包されている健康度を１減少させてステップＳ４０６に進む。ただし、健康度が下限値、たとえば０であった場合は下限値を維持する。
【００６５】
ステップＳ４０５では、制御部１１は、ペット画像１４ｈに内包されている健康度を１増加させてステップＳ４０６に進む。ただし、健康度が上限値、たとえば１００であった場合は上限値を維持する。
ステップＳ４０６では、制御部１１は、更新された健康度の値に応じてペット画像１４ｈを更新し、図１０のフローチャートを終了する。たとえば健康度が０〜１００で変化する場合に、健康度が１００〜７１の場合はペット画像１４ｈを図８（ａ）に示すペットＰ２が元気な状態の画像にし、健康度が７０〜４１の場合はペット画像１４ｈを図８（ｂ）に示すペットＰ２が普通な状態の画像にし、健康度が４０〜０の場合はペット画像１４ｈを図８（ｃ）に示すペットＰ２が不調な状態の画像にする。また、健康度の変化を強調させるために、ペットＰ２とともに犬小屋Ｐ３も同様に変化させる。
【００６６】
サーバ３０の動作を説明する。
サーバ３０の制御部１１は、第１の実施の形態の動作に加えて、以下の動作を行う。すなわち、生体臭検出装置１０から臭い検出の結果とユーザ名１４ｉとを受信すると、臭い検出記録３４ｆに保存し、そのユーザ名１４ｉに対応する臭い検出グラフ３４ｇおよびペット画像３４ｈを更新する。そして、生体臭検出装置１０や携帯電話４０からの要求に応じて、全ユーザまたは特定のユーザ名１４ｉの臭い検出記録３４ｆ、臭い検出グラフ３４ｇまたはペット画像３４ｈを送信する。
生体臭検出装置１０および携帯電話４０は、臭い検出記録３４ｆの全部または一部を受信し、制御部１１または制御部４１が臭い検出グラフ３４ｇやペット画像３４ｈを作成してもよい。
【００６７】
生体臭検出装置１０の制御部１１は、臭い検出部１２の臭い検出の結果に基づき、当該生体臭検出装置１０の表示部１７で表示される、臭い検出グラフ１４ｇおよびペット画像１４ｈを作成する。
サーバ３０の制御部３１は、生体臭検出装置１０から受信した臭い検出の結果に基づき、生体臭検出装置１０の表示部１７、および携帯電話４０の表示部４７で表示される、臭い検出グラフ３４ｇおよびペット画像３４ｈを作成する。
【００６８】
上述した第３の実施の形態によれば、次の作用効果が得られる。
（１）生体臭検出システム１は、生体臭検出装置１０と、サーバ３０とを備える。生体臭検出装置１０の制御部１１は、臭い検出部１２により臭いを検出すると、その結果を生体臭検出装置１０の通信部１３によりサーバ３０へ通知する。サーバ３０は、生体臭検出装置１０から臭い検出の結果を受信する通信部３３と、臭い検出の結果を蓄積する臭い検出記録１４ｆ、すなわち生体臭データベースと、要求に応じて臭い検出記録１４ｆの一部または全部を通信部３３から送信する制御部３１とを備える。
そのため、ユーザは検出された自分の体臭が記録として残り、しかも他人から閲覧されるため、体臭を抑えて維持するモチベーションとすることができる。
【００６９】
（２）制御部１１は、臭い検出部１２が検出したユーザの体臭に応じてゲーム内の特定のパラメータを変化させ、ゲーム内の状態を画像として出力する。
そのため、ユーザは楽しみながら体臭の管理を行うことができる。また、体臭が強い状態が継続するとペットなどのキャラクターが衰弱して表示されるので、そのキャラクターへの愛着および義務感から自発的に体臭を抑える効果が得られる。
【００７０】
（変形例８）
第３の実施の形態では、規定の時間間隔ごとに臭い検出部１２による臭い検出を行っていた。しかし、第１の実施の形態と同様に電子機器２０に保存されているスケジュールデータ２４ｂを参照して、スケジュールの開始時刻よりも所定の時間だけ早い時刻に、検出部１２による臭い検出を行ってもよい。
【００７１】
（変形例９）
第３の実施の形態においては、臭い検出グラフ１４ｇおよびペット画像１４ｈをそのまま表示していた。しかし、サーバ３０がさらにグループ作成機能を備え、制御部３１がグループごとのランキングを作成して生体臭検出装置１０や携帯電話４０の要求に応じて送信してもよい。
たとえば、生体臭検出装置１０からサーバ３０へ臭い検出の結果を送信する際に、制御部１１はユーザ名１４ｉに加えてユーザの設定したグループ名も付加して送信する。そしてこれを受信したサーバ３０の制御部３１は、臭い検出記録３４ｆへの記録に加えて、グループ名ごとにユーザ名１４ｉを記録してグループを作成する。
【００７２】
生体臭検出装置１０や携帯電話４０からグループ内ランキングの閲覧要求があった場合は、制御部３１はグループ名の選択、または入力によりグループ名を特定させる。そして、当該グループに属するユーザ名１４ｉに対応する臭い検出記録３４ｆを参照して、ランキング表示、たとえば過去１週間で検出された臭いの強さが弱い順にユーザ名１４ｉを表示する。この際に、当該グループに属する全てのユーザ名１４ｉに対応する臭い検出グラフ３４ｇおよびペット画像３４ｈをあわせて表示してもよい。
【００７３】
この変形例９によれば、友人同士で同一のグループ名を使用することにより、友人とランキングの順位を競うことができる。また、友人の臭い検出グラフ３４ｇおよびペット画像３４ｈを一覧表示できるので、ユーザは友人と自分の臭いの推移、およびペットの状況を比較して楽しむことができる。
【００７４】
上述した各実施の形態および変形例は、それぞれ組み合わせてもよい。
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００７５】
１０…生体臭検出装置、１１…制御部、１２…臭い検出部、１３…通信部、１４…記憶部、１４ａ…タイマー時刻表、１４ｃ…摂取物データベース、１４ｄ…健康診断書、１４ｆ…臭い検出記録、１４ｇ…臭い検出グラフ、１４ｈ…ペット画像、１４ｉ…ユーザ名、１５…報知部、１６…入力部、１７…表示部、１９…加速度センサ、２０…電子機器、２１…制御部、２３…通信部、２４…記憶部、２４ｂ…スケジュールデータ、２６…入力部、２７…表示部、２８…撮影部、３０…サーバ、３１…制御部、３３…通信部、３４…記憶部、３４ｆ…臭い検出記録、３４ｇ…臭い検出グラフ、３４ｈ…ペット画像、４０…携帯電話、４１…制御部、４３…通信部、４６…入力部、４７…表示部
【図１】
2015148937.tif 000003
【図２】
2015148937.tif 000004
【図３】
2015148937.tif 000005
【図４】
2015148937.tif 000006
【図５】
2015148937.tif 000007
【図６】
2015148937.tif 000008
【図７】
2015148937.tif 000009
【図８】
2015148937.tif 000010
【図９】
2015148937.tif 000011
【図１０】
2015148937.tif 000012